(57)【要約】【課題】  デジタル地上波テレビ放送への移行開始によるチャンネルプランの変更にともない、ユーザーの手を一切煩わせることなく、受信チャンネルを新しいチャンネルプランに自動的に再設定する受信装置を提供すること。【解決手段】  日付比較手段によりデジタル地上波テレビ放送への移行日の到来を検出したとき、映像信号検出手段により新受信チャンネルデータに対応する周波数帯での映像信号の有無を検出し、当該映像信号がない場合に旧受信チャンネルデータに戻し、当該映像信号がある場合に新受信チャンネルデータに置換える受信装置を提供することにより、上記課題を解決する。【選択図】  図２
0003104405.tif 000002
【実用新案登録請求の範囲】
【請求項１】
チューナーと、
周波数変更日の前および後の新旧受信チャンネルとチャンネル番号との新旧対照テーブル、および周波数変更日とを記録する記録手段と、
当該周波数変更日を本日日付と比較する日付比較手段と、
当該日付比較手段が当該周波数変更日の到来していることを検出したとき、チューナーの設定する受信チャンネルを周波数変更日後の受信チャンネルに設定するチャンネル設定手段と、
を含む受信装置。
【請求項２】
チューナーと、
周波数変更日の前および後の新旧受信チャンネルとチャンネル番号との新旧対照テーブル、および周波数変更日とを記録する記録手段と、
当該周波数変更日を本日日付と比較する日付比較手段と、
当該日付比較手段が当該周波数変更日の到来していることを検出したとき、当該周波数変更日後の受信チャンネルを当該チューナーで受信して、その受信信号中に映像信号の有無を検出する映像信号検出手段と、
当該映像信号検出手段が当該チューナーの受信信号中に映像信号を検出したとき、当該チューナーの設定する受信チャンネルを周波数変更日後の受信チャンネルに設定する手段と、
を含む受信装置。
【考案の詳細な説明】
【技術分野】
【０００１】
本考案は、テレビ局の放送がアナログ放送からデジタル放送に変更されるときに必要な受信チャンネル変更作業を自動化した受信装置に関する。
【背景技術】
【０００２】
デジタル地上波テレビ放送への移行開始にともない、全国の各地域で、チャンネルプランの変更、つまりテレビ局ごとに割り当てられる周波数帯の変更が計画的に実施されることになる。このチャンネルプランの変更にともない、アナログ放送のチャンネルプランに変更が生ずる地域においては、従来のアナログテレビ放送受信機の受信チャンネルを新しいチャンネルプランに合わせて再設定する必要がある。
【０００３】
上記の状況を踏まえ、特許文献１は、アナログテレビ受信機を視聴するユーザーがリモコンで一つのチャンネルを選局したときに、当該チャンネルの映像信号が受信不可能と判定された場合に、その時点でチャンネルプランの変更があったものとみなし、新しいチャンネルプランに再設定することのできるテレビ受信機を提供している。
【０００４】
また、特許文献２は、前記のアナログ放送のチャンネルプラン変更にかかわる情報を記録した専用のチャンネル設定用リモコンを提供することにより、従来のアナログテレビ放送受信機の受信チャンネルを新しいチャンネルプランに合わせて再設定する作業の簡素化を実現している。
【特許文献１】特開２００１−１４８８１０号公報
【特許文献２】特開２００２−３００４８６号公報
【考案の開示】
【考案が解決しようとする課題】
【０００５】
しかし、特許文献１に開示された方法では、アナログテレビ放送受信機のユーザーがリモコンで選局したチャンネルの映像信号が受信不可能と判断された場合、ディスプレー上にチャンネルプラン変更の可否を問う画面が表示され、それに対してユーザーは可・否いずれかの決定をリモコンで入力するという手間を必要とした。さらに、当該テレビ受信機でタイマー録画予約を行っている場合は、予約設定済みの受信チャンネルについてはチャンネルプランの再設定ができないという不具合があった。
【０００６】
特許文献２に開示された方法は、アナログ放送のチャンネルプラン変更にかかわる情報を記録した専用のチャンネル設定用リモコンが必要であり、アナログテレビ受信機のユーザーにとっては新しいリモコンを購入しなければならないという不都合があった。また特許文献１と同様に、当該テレビ受信機でタイマー録画予約を行っている場合は、予約設定済みの受信チャンネルについてはチャンネルプランの再設定ができないという不具合もあった。
【課題を解決するための手段】
【０００７】
本考案は、上記の課題を達成するために、チューナーと、周波数変更日の前および後の新旧受信チャンネルとチャンネル番号との新旧対照テーブル、および周波数変更日とを記録する記録手段と、当該周波数変更日を本日日付と比較する日付比較手段と、当該日付比較手段が当該周波数変更日の到来していることを検出したとき、チューナーの設定する受信チャンネルを周波数変更日後の受信チャンネルに設定するチャンネル設定手段とを含む受信装置を提供し、さらに、チューナーと、周波数変更日の前および後の新旧受信チャンネルとチャンネル番号との新旧対照テーブル、および周波数変更日とを記録する記録手段と、当該周波数変更日を本日日付と比較する日付比較手段と、当該日付比較手段が当該周波数変更日の到来していることを検出したとき、当該周波数変更日後の受信チャンネルを当該チューナーで受信して、その受信信号中に映像信号の有無を検出する映像信号検出手段と、当該映像信号検出手段が当該チューナーの受信信号中に映像信号を検出したとき、当該チューナーの設定する受信チャンネルを周波数変更日後の受信チャンネルに設定する手段とを含む受信装置を提供するものである。
【考案の効果】
【０００８】
本考案により、デジタル地上波テレビ放送への移行開始にともない、全国の各地域で、チャンネルプランの変更が計画的に実施される場合、当該チャンネルプランの変更にともない、アナログ放送のチャンネルプランに変更が生ずる地域において、ユーザーの手を一切煩わせることなく、アナログテレビ放送受信機の受信チャンネルを新しいチャンネルプランに自動的に再設定することが可能となる。なお、録画プログラムに修正を加えることにより、タイマー録画予約も含めたすべての録画予約済みのチャンネルデータを自動的に再設定することも可能になる。さらにチャンネルプランの自動再設定中に、映像記録装置が実際に録画の作動をしている場合であっても、不都合なく通常の録画動作を続行することができる。
【考案を実施するための最良の形態】
【０００９】
図１は、本考案による具体的な実施例である受信装置の構成を示すブロック図である。この受信装置は少なくとも、アンテナ１４、チューナ１、映像音声処理部３、マイコン４、ディスプレー２、およびメモリ５から構成されている。そしてマイコン４は、図示されていないＲＯＭ、日付設定部６、比較部７、時計処理部８、映像信号有無判断部９、予約設定部１０、エリアコード設定部１１、制御部１２、およびエリアコードデータ記憶部１３から構成されている。
【００１０】
ここで、図示されていないＲＯＭは、全国各地の中継局別のデジタル放送開始前のアナログ放送用受信チャンネルデータ（以下、旧受信チャンネルデータ）とデジタル放送開始後のアナログ放送用受信チャンネルデータ（以下、新受信チャンネルデータ）をすべて記憶している。たとえば、東京の八王子中継局の旧受信チャンネルデータと新受信チャンネルデータの対照表は、図３ないし図４に示すようにとおりである。日付設定部６はデジタル放送開始によるチャンネルプラン変更日の設定処理を行なっている。時計処理部８は通常の時計のカウントを行い、現在日時を把握している。比較部７は当該時計処理部８によりカウントされる現在日時と当該日付設定部６により設定されたチャンネルプラン変更日とを比較し、当日が当該チャンネルプラン変更日の応答日となるときに、後述するエリアコード設定部１１と予約設定部１０にチャンネルプラン変更日を報知する。
【００１１】
エリアコード設定部１１は当該チャンネルプラン変更日が報知されたときに、旧受信チャンネルデータから新受信チャンネルデータへの変更を行う。予約設定部１０は、旧受信チャンネルデータから新受信チャンネルデータへの変更のタイミングに合わせて、録画予約がなされている放送局のチャンネルデータの変更、および旧受信チャンネルデータから新受信チャンネルデータへの移行時にまさに録画中である放送局のチャンネルデータの変更を行う。制御部１２はマイコン４内のＣＰＵであり、マイコン４のすべての動作を制御している。エリアコードデータ記憶部１３は、マイコン４内の図示しないＲＯＭに記憶されている全国各地の中継局別の旧受信チャンネルデータと新受信チャンネルデータのなかから、当該受信装置のユーザーが通常購入時に入力するエリアコードに対応する旧受信チャンネルデータと新受信チャンネルデータを格納している。
【００１２】
映像信号有無判断部９は、比較部７がチャンネルプラン変更日を報知したとき、エリアコード設定部１１により変更される新受信チャンネルデータに対応する映像信号の有無を判断し、当該新受信チャンネルデータに対応する映像信号が無い場合に、放送局側の何らかの事情で当該変更がまだ実施されていないとみなし、新受信チャンネルデータを旧受信チャンネルデータに戻す制御を行っている。
【００１３】
次に図２のフローチャートを用いて、本考案による実施例の動作を説明する。東京の八王子中継局の地域に居住するユーザーが、当該地域におけるデジタル地上波テレビ放送への移行前に、アナログテレビ受信機を購入したとする。ユーザーは、その購入時点で当該テレビ受信機の設置される地域をメニュー画面により登録する。図５のメニュー画面でエリアコード設定を選択したユーザーは、図６に例示するエリアコード入力画面で自分の居住地である八王子を選択して入力する。当該テレビ受信機の購入日が当該地域におけるデジタル地上波テレビ放送への移行前であるので、図３に示す八王子中継局における旧受信チャンネルデータにより当該テレビ受信機は作動する。
【００１４】
その後、時日が経過し、デジタル地上波テレビ放送への移行予定日が近づいてきたことを知ったユーザーは、Ｓ１００において、図７に示すメニュー画面により変更日設定を選択し、図８の変更日入力画面でデジタル放送への変更日を入力する。入力された変更日のデータは、外部メモリ５に格納される。つぎにＳ１０１で、比較部７がＳ１００で入力された当該変更日と時計処理部８がカウントする現在日付とを比較し、その結果、Ｓ１０２でまだ変更日が到来していない場合（Ｓ１０２のＮＯ）、Ｓ１０１に戻る。
【００１５】
一方、Ｓ１０２で、変更日が到来したと判定された場合（Ｓ１０２のＹＥＳ）、制御部１２はエリアコードデータ記憶部１３から図４に示す新受信チャンネルデータを読み込む（Ｓ１０３）。制御部１２は、さらにＳ１０４で、旧受信チャンネルデータから新受信チャンネルデータに受信チャンネルを変更する。
【００１６】
Ｓ１０６で、映像信号有無判断部９が、新受信チャンネルデータに対応する映像信号が受信されているか否かを判断する。当初の予定どおり、デジタル地上波テレビ放送への移行が完了している場合（Ｓ１０６の有）、Ｓ１０９で制御部１２はエリアコード設定部に対して、エリアコード記憶部１３が記憶している新受信チャンネルデータを新しいエリアコードデータとして設定するよう指示を出す。これと同時に、制御部１２は予約設定部１０に対し、録画予約されたチャンネルを新受信チャンネルデータに置換えるよう指示を出すことにより、録画予約設定済みの番組もしくは現に録画作動中の番組があっても、当該受信チャンネルを新受信チャンネルデータに設定換えを行うことができる。
【００１７】
一方、予定されていたデジタル地上波テレビ放送への移行が放送局側の事情などでまだ完了しておらず、しばらく延期されるような場合（Ｓ１０６の無）、Ｓ１０８で、比較部７が翌日になったかどうかを判定し、まだ翌日になっていない場合は（Ｓ１０８のＮＯ）、当該判定ステップを繰り返し反復する。翌日になった場合（Ｓ１０８のＹＥＳ）、Ｓ１０３に戻り、上記のステップを改めて反復することにより、ユーザーの手を一切煩わすことなく、テレビ受信機がデジタル地上波テレビ放送への移行を自ら感知し、自動的に新受信チャンネルデータへの切換えを行うことができる。
【００１８】
以上の実施例においてはアナログテレビ受信機のケースで説明をしたが、ＶＴＲやＤＶＤレコーダーなどのチューナーを備えた記録再生装置も本考案の対象となることを付言しておく。なお、以上の実施例の説明においては、デジタル地上波テレビ放送への移行日をユーザーがメニュー画面により入力するという想定を立てたが、受信装置を製造するメーカー側が製造段階において予めデジタル地上波テレビ放送への移行予定日をマイコン４の図示しないＲＯＭ内に記憶させておくことも可能である。
【図面の簡単な説明】
【００１９】
【図１】本考案による実施例の構成を示す受信装置のブロック図
【図２】本考案による実施例の作動を示すフローチャート
【図３】八王子中継局の旧受信チャンネルデータ
【図４】八王子中継局の新受信チャンネルデータ
【図５】メニュー画面
【図６】エリアコード入力画面
【図７】メニュー画面
【図８】変更日入力画面
【符号の説明】
【００２０】
１４  アンテナ
【図１】
0003104405.tif 000003
【図２】
0003104405.tif 000004
【図３】
0003104405.tif 000005
【図４】
0003104405.tif 000006
【図５】
0003104405.tif 000007
【図６】
0003104405.tif 000008
【図７】
0003104405.tif 000009
【図８】
0003104405.tif 000010